(57)【特許請求の範囲】
【請求項１】
浴室の底面で上方に開口するように設けられた凹部に、嵌め込まれた状態で取り付けられた浴槽を前記凹部から取り外した後、新規浴槽を備えたバスユニットを前記浴室に、前記新規浴槽が前記凹部の上方で、かつ該凹部の上端部に隣接する床スラブ部より高い位置に位置するようにしたバスユニットの設置方法であって、
前記バスユニットは、新規浴槽が上部に設置される浴槽用防水パンと、前記浴槽用防水パンに隣接する洗い場用防水パンとを備えるとともに、新規浴槽、浴槽用防水パン及び洗い場用防水パンはそれぞれ別体として形成され、前記洗い場用防水パンを前記浴室の底面との間に空間が形成されるように設置し、次いで、前記浴槽用防水パンを、既設の洗い場用防水パンに隣接させるとともに前記凹部上方で、かつ該凹部の上端部に隣接する床スラブ部より高い位置に設置し、次いで、浴槽用防水パンの上部に前記新規浴槽を設置するものであり、
前記バスユニットの浴槽用防水パン及び洗い場用防水パンには、前記設置された浴室の底面との間に空間が形成されるとともに浴槽用防水パン及び洗い場用防水パンが前記浴室の底面上方で略水平に設置されるように、前記浴室の底面の状況に応じて長さの異なる脚部がそれぞれ選択的に取り付けられていることを特徴とするバスユニットの設置方法。
【発明の詳細な説明】
【０００１】
【発明の属する技術分野】
本発明は、浴室の底面に凹部が形成され、この凹部に嵌め込まれた浴槽をリフォームする浴槽及びバスユニットの設置方法に関する。
【０００２】
【背景の技術】
従来より、特開２０００−２９１０９４号公報に開示されているように、住宅においてユニットタイプの浴室を設置するものがある。また、この公報の従来例でも記載されているように、北海道などの寒冷地でない地域に構築される住宅における浴室構造として、洗い場、浴槽等を備えるバスユニット本体を基礎上に直接設置する構成がある。
この一例を図１１に示す。
図１１に示すように、浴室１００の底部を構成するコンクリート製の基礎は凹部２１と凹部２１に隣接し洗い場面となる床スラブ部２２とを備え、凹部２１に浴槽１０１を嵌め込んだ状態で設置され、床スラブ部２２上面には、浴槽に隣接する洗い場用防水パン１０２が設置されている。
この洗い場用防水パン１０２は、上面が浴室１００の出入口の床面１２０より下方に位置するように設置され、浴室１００に隣接する部屋（脱衣所など）１０４等の隣接する区画に水が侵入しないようになっている。
【０００３】
【発明が解決しようとする課題】
ところで、一般的な浴室においては、浴室１００を構成する部材、特に浴槽の老朽化等の理由により浴室の修繕・補修、改修・改善等のリフォームを行うことが考えられる。
上記のような底面に形成された凹部２１に嵌め込まれた浴槽１０１を備える浴室１００の構造において浴槽をリフォームする場合、浴槽１０１と洗い場用防水パン１０２等を含む既設のバスユニット本体に変えて新規のバスユニット本体を取り付けることになる。
よって、上記構造の浴室１００では、新規浴槽を含む新規バスユニット本体を取り付けるために、既設の浴槽１０１を凹部２１から取り外した後、新規バスユニット本体が取り付けられるコンクリート製の凹部２１や床スラブ部２２などに削る等の加工（床スラブ部の打ち直しも含む）を施す必要が生じ、手間が掛かるとともに、その加工作業を行うためにコストが掛かっていた。
また、上記構造の浴室において、凹部２１に嵌め込まれていた既設の浴槽１０１がＦＲＰ（Fiber-Reinforced Plastics：繊維強化プラスチック）製である場合、該浴槽１０１を全て壊すとともに凹部２１を加工し、該凹部２１に新規浴槽を取り付けなければならず、さらに手間が掛かっていた。
【０００４】
本発明は、上記事情を鑑みてなされたもので、既設の浴槽や該浴槽を含むバスユニットを備える浴室において、新規浴槽や新規浴槽を含むバスユニットを容易に設置することができる浴槽及びバスユニットの設置方法を提供することにある。
【０００５】
【課題を解決するための手段】
以上の課題を解決すべく本願発明は、浴室の底面で上方に開口するように設けられた凹部に、嵌め込まれた状態で取り付けられた浴槽を前記凹部から取り外した後、新規浴槽を備えたバスユニットを前記浴室に、前記新規浴槽が前記凹部の上方で、かつ該凹部の上端部に隣接する床スラブ部より高い位置に位置するようにしたバスユニットの設置方法であって、前記バスユニットは、新規浴槽が上部に設置される浴槽用防水パンと、前記浴槽用防水パンに隣接する洗い場用防水パンとを備えるとともに、新規浴槽、浴槽用防水パン及び洗い場用防水パンはそれぞれ別体として形成され、前記洗い場用防水パンを前記浴室の底面との間に空間が形成されるように設置し、次いで、前記浴槽用防水パンを、既設の洗い場用防水パンに隣接させるとともに前記凹部上方で、かつ該凹部の上端部に隣接する床スラブ部より高い位置に設置し、次いで、浴槽用防水パンの上部に前記新規浴槽を設置するものであり、前記バスユニットの浴槽用防水パン及び洗い場用防水パンには、前記設置された浴室の底面との間に空間が形成されるとともに浴槽用防水パン及び洗い場用防水パンが前記浴室の底面上方で略水平に設置されるように、前記浴室の底面の状況に応じて長さの異なる脚部がそれぞれ選択的に取り付けられていることを特徴とするバスユニットの設置方法とした。
【００２８】
【発明の実施の形態】
以下に、本発明に係る浴槽及びバスユニットの設置方法の実施の形態例を図１から図１０に基づいて説明する。
先ず、図１及び図２は本発明により設置された浴槽を含むバスユニットを備えた浴室の全体構成を示す。
図１及び図２に示すように、浴室１は、コンクリート製の基礎の一部である底面部（浴室の底面）２、この底面部２を囲むように立設された壁パネル３、底面部２上に配設された箱状の浴室ユニット４等から構成されている。なお、この浴室１は、住宅構築時等に底面部２の凹部２１に嵌め込まれた状態で設置された浴槽を備える浴室（従来例を示す図１１参照）のリフォーム後の浴室である。
【００２９】
底面部２は浴室１を備える住宅の基礎の一部であり、上方に開口して形成された凹部２１と、該凹部２１に隣接し、上面が略水平なスラブ部２２とを備える。凹部２１は、内部に住宅の構築時に浴槽が嵌め込まれた状態で設置されていたものであり、床スラブ部２２は上面に洗い場用防水パンを設置することで洗い場として機能する浴室土間である。
【００３０】
壁パネル３は、底面部２の周囲に配置されている布基礎上に立設され、内側に防腐合板が取り付けられている。
【００３１】
浴室ユニット４は、底面部２の上方に配置されるバスユニット５、該バスユニット５を囲む周壁部４１、これら周壁部４１により形成された上方開口を覆う天井パネル４２、シャワー４３、蛇口４４、吐水口を有する水栓部４５等を備える。
【００３２】
バスユニット５は、スラブ部２２上方に配置された洗い場用防水パン５１と、洗い場用防水パン５１に隣接し且つ、凹部２１上方に設置された浴槽用防水パン５２と、浴槽用防水パン５２上に設置された新規浴槽５３とを備える。これら洗い場用防水パン５１、浴槽用防水パン５２及び新規浴槽５３はそれぞれ別体として形成され、設置された浴室ユニットから着脱可能となっている。
【００３３】
洗い場用防水パン５１には上下に貫通する排水口５１１が形成され、この排水口５１１は、洗い場用防水パン５１の上面５１ａを切り欠くとともに、該上面５１ａよりも一段と低く形成された排水溝部５１１ａの底面に設けられており、図示しないが排水を許容する排水口蓋部により覆われている。
また、洗い場用防水パン５１には、下面５１ｂに、該排水口５１１に接続されたトラップ５１２と、トラップ５１２に接続された排水管５１３・５１４と、洗い場用防水パン５１の下面５１ｂから下方に突出する脚部５１５とが設けられている。
そして、洗い場用防水パン５１は脚部５１５により床スラブ部２２の上方で且つ下面５１ｂと床スラブ部２２の上面２２ａとの間に空間Ａが形成されるように配置されている。この空間Ａはバスユニット５のためのパイプスペースとなっている。
【００３４】
さらに、洗い場用防水パン５１の上面５１ａは浴室の出入口１２の下辺部１２１と略面一に形成され、水返しのための段差を無くしている。なお、この下辺部の上面（出入口の床面）１２１は浴室１に隣接する区画の床面（例えば、脱衣室の床面）と略面一となるように形成されており、これらの構成により浴室１の床面はバリアフリー対応となっている。したがって高齢者でも浴室１の出入りを容易としている。
また、上記脚部５１５は、洗い場用防水パン５１の設置面の状況に応じ、洗い場用防水パン５１の下面５１ｂに対して着脱可能に取り付けられるものである。ここでは、床スラブ部２２上方の洗い場用防水パン５１の上面５１ａが、上述したように出入口１２の下辺部１２１と略面一となるとともに、洗い場用防水パン５１と床スラブ部２２の上面２２ａとの間に配管可能な空間Ａが形成可能な長さのものが取り付けられた状態となっている。
また、洗い場用防水パン５１の排水口５１１に接続された排水管５１４は、床スラブ部２２の上方（空間Ａ）を通って、該床スラブ部２２に隣接する凹部２１底面２１ａに形成されている浴室用排水孔２１１に接続されている。
【００３５】
浴槽用防水パン５２は平面視矩形状に形成され、洗い場用防水パン５１とともに浴室ユニット４の底部を構成する。
この浴槽用防水パン５２には、上下に貫通する排水口５２１が形成され、この排水口５２１は、浴槽用防水パン５２の上面５２ａを切り欠くとともに、該上面５２ａよりも一段と低く形成された排水用窪み部５２１ａの底面に設けられている。  なお、この排水用窪み部５２１ａの上面部には排水を許容する窪み部用蓋が取り付けられている。
【００３６】
また、浴槽用防水パン５２には、下面５２ｂに、排水口５２１に接続されたトラップ５２２と、トラップ５２２に接続された排水管５２３とを備える。
排水管５２３は、洗い場用防水パン５１の排水管５１３に接続され、浴槽用防水パン５２からの排水はトラップ５２２、排水管５２３・５１３を経て浴槽用防水パン５２のトラップ５１２に流れるようになっている（図３参照）。
また、浴槽用防水パン５２の下面５２ｂには、該下面５２ｂから下方に突出するとともに設置される箇所に応じて選択的に着脱可能な脚部５２４・５２５が設けられている。
この実施の形態では、脚部５２４は浴槽用防水パン５２の下面５２ｂと凹部２１底面２１ａとの間に配置され、脚部５２５は前記下面５２ｂと床スラブ部２２上面２２ａととの間に配置されているので、それぞれ長さが異なるものとなっている。
【００３７】
これら脚部５２４・５２５により浴槽用防水パン５２は凹部２１の上方に且つ、上面５２ａが略水平に配設された状態となっている。
つまり、浴槽用防水パン５２の下面５２ｂは脚部５２４・５２５により下面５２ｂと床スラブ部２２の上面２２ａとの間及び下面５２ｂと凹部２１底面との間に空間Ｂが形成されるように配置されている。
この空間Ｂはバスユニット５のためのパイプスペースとなっており、浴槽用防水パン５２隣接する洗い場用防水パン５１下方の空間Ａに連通した状態となっている。
また、浴槽用防水パン５２には、上下に貫通する連通孔５２７（図３参照）が形成されており、該連通孔５２７を介して、浴槽用防水パン５２上方と空間Ｂとを連通させている。
【００３８】
連通孔５２７は、浴槽用防水パン５２の排水管５２３の接続や、バスユニット５に対する給水管（後述する）の接続、浴槽用防水パン５２の設置作業等を浴槽用防水パン５２上面側（浴室内部側）から行えるように浴槽用防水パン５２に形成されたものであり、この実施の形態では、浴槽用防水パン５２の短辺部に沿って形成されている。よって、この連通孔５２７の径は、作業者が作業を行える程の大きさとなっている。
なお、後述するがこの空間Ｂには、バスユニット５に接続される給水管（後述する）が配されており、空間Ｂを介してバスユニット５の所定の箇所に接続されている。ここで、所定の箇所とは、バスユニット５においてシャワーや給水蛇口の配管が接続された箇所である。
【００３９】
さらに浴槽用防水パン５２には、浴槽の底面部２から導出された給水管を接続し、接続された給水管から浴室１に設置されたシャワー４３や水栓部４５に水を供給するための給水管接続部５２８（図３及び図９参照）が設けられている。
【００４０】
新規浴槽５３は、底面部５３１に該底面部５３１を貫通する浴槽用排水孔を備え、浴槽用防水パン５２の上面５２ａに、該上面５２ａから底面部５３１の裏面を離間させ導水路５３２（図１参照）が形成されるように配置されている。これにより新規浴槽５３内の水は、浴槽用排水孔、導水路を経て浴槽用防水パン５２の排水口５２１に至るものとなっている。
また新規浴槽５３の前側（洗い場側）の上端部と洗い場用防水パン５１の下面５１ｂとの間には新規浴槽５３の側面を覆うエプロン部５４が介設されている。
【００４１】
次に上記構成となるように浴槽を有するバスユニットを設置する方法について図４〜図９を参照して説明する。ここでは、住宅の構築時に浴槽が設置された凹部２１を備える浴室における浴槽の取り替えを行う場合のリフォームについて説明する。
図４に示すように、バスユニット５が設置される前の浴室の底面部２における凹部２１から、住宅構築時に嵌め込まれるように設置された浴槽を外す。なお、この図では浴槽ととともに既設のバスユニットを外した状態を示している。また、この図の凹部２１の周壁には外部から既設の浴室の水廻設備に水を導水する給水部２９が図示されている。
【００４２】
そして、浴室１の底面部２の床スラブ部２２において上部に洗い場が形成される領域に、洗い場用防水パン５１をその上面５１ａが出入口１２の下辺部の上面１２１と略面一となるように設置する。
図５は、床スラブ部２２の洗い場面に洗い場用防水パン５１を設置した状態を示す底面部の斜視図である。
【００４３】
このとき洗い場用防水パン５１は、図６に示すように、脚部５１５を介して、前記床スラブ部２２の上方に設置され、下面５１ｂと床スラブ部２２の上面２２ａとの間には空間Ａが形成される。この空間Ａに洗い場用防水パン５１に接続されている排水管が設置される。
なお、図６では、排水管５１４は、トラップ５１２に一端部が接続された第１排水管５１４ａのみが図示され、この第１排水管５１４ａと凹部２１の底面２１ａの排水口とに接続される屈曲した第２排水管５１４ｂは外された状態となっている。なお、この屈曲した第２排水管５１４ｂが洗い場用防水パン５１を設置する前に第１排水管５１４ａに接続されていてもよい。
空間Ａは、凹部２１側に開口した状態となっているので、作業者はこの空間Ａにおける配管作業を容易に行うことができる。
また、脚部５１５が長さを調節できるように構成していれば、作業者は凹部２１側から脚部５１５の長さを調整して、上面５１ａを出入口１２の下辺部上面１２１と略面一にすることが容易に行える。
【００４４】
そして、第１排水管５１４ａに第２排水管５１４ｂの一端部を接続し、この第２排水管５１４ｂの他端部を凹部２１の凹部２１の底面２１ａに形成されている浴室用排水孔２１１に接続する（図７参照）。このとき、凹部２１を囲む周壁の給水部２９にフレキシブル管である給水管２８ａの一端部を接続しておく。
【００４５】
次いで、図８に示すように、浴槽用防水パン５２を洗い場用防水パン５１に隣接させて、底面部２の凹部２１と床スラブ部２２の浴槽用領域の上方に配置する。このとき浴槽用防水パン５２は、下面５２ｂに設けられた脚部５２４・５２５により略水平となるように設置され、洗い場用防水パン５１とで浴室の底面部分を覆った状態となる。これら脚部５２４・５２５により浴槽用防水パン５２の下面５２ｂと凹部２１の底面２１ａ及び床スラブ部２２の上面２２ａの浴槽用領域部分の間には、上述した空間Ｂが形成された状態となる。
【００４６】
そして、図９に示すように、凹部２１上方に配置された浴槽用防水パン５２に形成された連通孔５２７を介して、作業者は浴槽用防水パン５２下方に形成された空間Ｂにおいて浴槽用防水パン５２の排水口５２１に接続された排水管５２３を洗い場用防水パン５１に接続された排水管５１３に接続する。
さらに作業者は連通孔５２７を介して、バスユニット（ここでは浴槽用防水パン５２に形成された給水管接続部５２８）に接続される給水管２８（給水管２８ａを含む）をバスユニット（ここでは浴槽用防水パン５２に形成された給水管接続部５２８）に接続する。
そして、浴槽用防水パン５２の上部に新規浴槽５３を設置し、新規浴槽５３の前側上縁部と洗い場用防水パン５１の上面５１ａとの間にエプロン５４（図１及び図２参照）を取り付けることで新規浴槽５３及び新規浴槽５３を備えるバスユニット５のリフォームが完了する。
【００４７】
上述したバスユニットの設置方法によれば、凹部２１に新規浴槽５３を設置しないので、凹部２１を加工することなく浴室内の浴槽を容易にリフォームできるとともに、前記浴室底面２とバスユニット５との間に空間Ａ・Ｂが形成されるので、該空間Ａ・Ｂを配管スペースとして利用することができる。つまり、コンクリート製の凹部２１に新規浴槽を設置する場合は、凹部２１から既設の浴槽を取り外した後、凹部２１をはつって（加工して）、凹部２１に新規浴槽を取り付け可能な状態としなければならず、手間が掛かるものとなるが、上記方法によればその作業を行う必要がなくなる。
したがって、予め設置されていた浴槽に変えて、新規浴槽の設置作業、つまり浴槽のリフォーム作業を容易に行うことができるとともに、新規浴槽を設置した際に、前記空間にて前記バスユニット５への配管（例えば排水管５１３・５１４・５２３、給水管２８等）の接続を容易に行うことができる。
また、浴室の底面２に前記洗い場用防水パン５１を設置した後、前記凹部２１の上方に且つ先に設置された洗い場用防水パン５１に隣接して浴槽用防水パン５２を設置し、次いで、浴槽用防水パン５２の上部に前記新規浴槽５３を設置するので、洗い場用防水パン５１、浴槽用防水パン５２及び新規浴槽５３を備えたバスユニット５を分割して設置することができ、その設置を容易に行うことができる。
さらに、前記バスユニット５の浴槽用防水パン５２及び洗い場用防水パン５１は、前記浴室の底面２の状況に応じて長さの異なる脚部５１５・５２４・５２５が選択的に取り付けられているので、浴槽用防水パン５２及び洗い場用防水パン５１を浴室１に設置するだけで、設置された前記浴室の底面２との間に空間Ａ・Ｂを形成できるとともに前記浴槽用防水パン５２及び洗い場用防水パン５１は前記浴室の底面２上方で略水平に設置された状態となる。
さらに、前記バスユニット５を前記浴室１に設置した際に、前記洗い場用防水パン５１の床面（例えば上面５１ａ）が前記浴室の出入口１２の床面１２１と略面一となるので、付け替えられた新規浴槽５３を有する浴室１はバリアフリーの床面を有するものとなり、浴室への出入りが容易となる。
【００４８】
なお、以上の実施の形態例においては、凹部２１に嵌め込まれた状態で設置された浴槽を取り外して、凹部上方に新規の浴槽５３を設置した構成としたが、これに限らず、浴槽が嵌め込まれた状態の凹部２１の上方に新規浴槽５３を含むバスユニット５を設置する構成としてもよい。
また、凹部２１に嵌め込まれた浴槽の上部が、該凹部２１の上方に設置されるバスユニット５に干渉する場合、干渉する部分を取り除いて、新規浴槽５３が凹部２１の上方に位置するようにバスユニット５を設置してもよい。
このときバスユニット５を構成する洗い場用防水パン５１及び浴槽用防水パン５２に取り付けられる脚部５１５・５２４・５２５の長さは、洗い場用防水パン５１及び浴槽用防水パン５２が設置される底面部の形状に応じた長さのものとする。この一例を変形例として図１０に示す。
【００４９】
図１０に示す浴室１Ａは、上述した浴室１と同様に、底面部２に上方に開口する凹部２１を備え、この凹部２１に嵌め込まれた状態で浴槽１０１が取り付けられている。そして、この浴槽１０１の上方に、該浴槽１０１の上端部Ｋを取り除いた状態で上述したバスユニット５とほぼ同様に形成されたバスユニット５Ａが設置されている。このバスユニット５Ａは、洗い場用防水パン５１Ａ、浴槽用防水パン５２Ａ及び新規浴槽５３を備え、設置された浴室１Ａの底面との間及び浴槽１０１内部に、バスユニット５Ａに接続される配管が配置される空間Ａ・Ｂ・Ｃ（配管スペース）が形成されている。
これら洗い場用防水パン５１Ａ及び浴槽用防水パン５２Ａは、それぞれの下面に取り付けれた脚部５１５Ａ・５２４Ａの長さ及び排水管５１３ｃ等の長さのみ異なり、その他構成は上述した洗い場用防水パン５１及び浴槽用防水パン５２と同様の構成であるので説明は省略する。また脚部５１５Ａ・５２４Ａや排水管も上述したものと同様の機能を有するものであるので説明は省略する。
【００５０】
そして、これら洗い場用防水パン５１Ａ、浴槽用防水パン５２Ａ及び新規浴槽５３の設置方法は、まず、これら洗い場用防水パン５１Ａ、浴槽用防水パン５２Ａ及び新規浴槽５３を浴室１Ａの底面部２に設置する前に、凹部２１に嵌め込まれた状態の既設の浴槽１０１のバスユニット５Ａに干渉する部分である浴槽１０１の上縁部Ｋを取り除く。
そして、上述したバスユニット５と同様に洗い場用防水パン５１、浴槽用防水パン５２、新規浴槽５３と順に設置する。このとき浴槽用防水パン５２は凹部２１に嵌め込まれた浴槽１０１の上方に配置される。
なお、図１０に示す洗い場用防水パン５１は浴室１の出入口１２の下辺部１２１と略面一となっており、該浴室１Ａをバリアフリー対応のものとしている。
また、図示しないが浴槽用防水パン５２Ａには浴槽用防水パン５２の連通孔５２７と同様の連通孔が形成され、この連通孔を介して、浴槽用防水パン５２Ａの設置作業や、該浴槽用防水パン５２Ａに接続される排水管５２３等の配管作業を行えるようになっている。
【００５１】
これにより、新規浴槽５３を備えたバスユニット５Ａは、浴室の底面２の凹部２１に嵌め込まれた状態で取り付けられた浴槽１０１の上方に、前記バスユニット５Ａに干渉する前記浴槽１０１の一部分Ｋを取り除くとともに前記浴槽１０１の底面との間に空間Ｃが形成され、且つバスユニット５Ａが略水平になるように脚部５１５Ａ・５２４Ａを付けて設置されるので、凹部２１を加工することなく、凹部２１に嵌め込まれた浴槽１０１の上端部Ｋを取り除くだけで新規浴槽５３を備えるバスユニット５Ａを設置でき、新規浴槽５３を備えたバスユニット５Ａの設置作業、つまり浴槽のリフォーム作業を容易に行える。
また、設置された新規浴槽５３を備えるバスユニット５Ａの下方には空間Ｂに加え、既設の浴槽１０１の内側空間Ｃが形成された状態となるので、該空間Ｃを新規浴槽５３等のバスユニット５Ａに接続される配管の配置スペースとして利用することができ、前記配管のための配管スペースを別途設ける必要がなく、浴槽リフォーム作業を一層容易に行うことができる。
【００５２】
なお、浴室１の底面部２における床スラブ部２２の平面視した形状をＬ字状としたが、これに限らず、リフォームされる浴槽が嵌め込まれた凹部が隣接して形成された構成であれば、どのような形状に形成されていてもよい。
例えば、底面部２を２分割した一方の領域に溝状の凹部２１を形成し、床スラブ部２２を平面視Ｉ形状に形成した構成としてもよい。
また、脚部の形状も上述した脚部５１５・５２４・５２５と同様の機能を有するものであればどのように構成されていてもよく、また、新規浴槽５３の形状も凹部２１に嵌め込まれてず、凹部２１上方に設置されるものであれば、どのような形状に成形されていても良い。
また、空間Ａ・Ｂに配設される排水管・給水管などもバスユニット５に接続される管であれば、どのように配管してもよく  その形状等も任意であり、その他、具体的な細部構造等についても適宜に変更可能であることは勿論である。
【００５３】
【発明の効果】
以上のように、本願発明に係る浴槽の設置方法によれば、前記新規浴槽は、先に浴槽が嵌め込まれていた凹部の上方に設置され、浴室の凹部に設置されないので、凹部を加工することなく浴室内において既設の浴槽を交換することができ、予め設置されていた浴槽のリフォームとして新規浴槽を容易に設置することができる。
また、本願発明に係るバスユニットの設置方法によれば、凹部に新規浴槽を設置しないので、凹部を加工することなく浴室内の浴槽を交換することができるとともに、前記浴室底面とバスユニットとの間に空間が形成されるので、該空間を配管スペースとして利用することができる。したがって、予め設置されていた浴槽に変えて、新規浴槽の設置作業、つまり浴槽のリフォーム作業を容易に行うことができるとともに、新規浴槽を設置した際に、前記空間にて前記新規浴槽への配管（例えば排水管や給水管）の接続を容易に行うことができる。
更に、洗い場用防水パン、浴槽用防水パン及び新規浴槽を備えたバスユニットを分割して設置することができ、その設置を容易に行うことができるとともに、前記バスユニットの浴槽用防水パン及び洗い場用防水パンは、前記浴室の底面の状況に応じて長さの異なる脚部が選択的に取り付けられているので、浴槽用防水パン及び洗い場用防水パンを浴室に設置するだけで、設置された前記浴室の底面との間に空間を形成できるとともに前記浴槽用防水パン及び洗い場用防水パンは前記浴槽の底面上方で略水平に設置された状態となる。
また更に、前記バスユニットを前記浴室に設置した際に、前記洗い場用防水パンの床面が前記浴室の出入口の床面と略面一となるので、リフォームされた浴槽を有する浴室はバリアフリーの床面を有するものとなり、浴室への出入りが容易となるとともに、設置された洗い場に隣接して浴沿うよう防水パンを設置する際に、浴室の底面を全面的に塞いだ状態となるが、前記浴槽要望水パンに作業孔が形成されているので、該浴槽用防水パンの設置も作業孔を介して行うことで容易におこなうことができる。
加えて、本願発明に係るバスユニットの設置方法によれば、凹部を加工することなく、凹部に嵌め込まれた浴槽の一部分を取り除くだけで新規浴槽を備えるバスユニットを設置でき、新規浴槽を備えたバスユニットの設置作業、つまり浴槽のリフォーム作業を容易に行える。また、設置された新規浴槽を備えるバスユニットの下方には空間が形成されるので、該空間を新規浴槽等のバスユニットに接続される配管の配置スペースとして利用することができ、前記配管のための配管スペースを別途設ける必要がなく、浴槽リフォーム作業を一層容易に行うことができる。
【図面の簡単な説明】
【図１】本発明を適用した一例としての設置方法により設置された浴槽及びバスユニットの浴室を側面側から見た概略断面図である。
【図２】本発明を適用した一例としての設置方法により設置された浴槽及びバスユニットの浴室を正面側から見た概略断面図である。
【図３】図１及び図２に示す浴室の排水管の配管を示すバスユニットの平面図である。
【図４】本発明の一実施の形態のバスユニットの設置方法を示す図である。
【図５】本発明の一実施の形態のバスユニットの設置方法を示す図である。
【図６】本発明の一実施の形態のバスユニットの設置方法を示す図である。
【図７】本発明の一実施の形態のバスユニットの設置方法を示す図である。
【図８】本発明の一実施の形態のバスユニットの設置方法を示す図である。
【図９】本発明の一実施の形態のバスユニットの設置方法を示す図である。
【図１０】本発明を適用した変形例としての設置方法により設置された浴槽及びバスユニットの要部を示す浴室の概略断面図である。
【図１１】底面部の凹部に浴槽が嵌め込まれた状態で設置された浴室の要部を示す概略側面図である。
【符号の説明】
１，１Ａ      浴室
２      底面部（底面）
５，５Ａ      バスユニット
１２      出入口
２１      凹部
２１ａ    凹部の底面
２２      床スラブ部
２２ａ    床スラブの上面（底面）
２８      給水管（配管）
５１，５１Ａ      洗い場用防水パン
５１ａ    洗い場用防水パンの上面
５２，５２Ａ      浴槽用防水パン
５３      新規浴槽
１２１      下辺部（床面）
５１３，５１４      排水管（配管）
５１４ａ      排水管（配管）
５１４ｂ      排水管（配管）
５１５，５１５Ａ      脚部
５２３      排水管（配管）
５２４，５２４Ａ，５２５      脚部
５２７      連通孔
Ａ，Ｂ，Ｃ      空間
Ｋ      上縁部（干渉する浴槽の一部分）
【図１】
0003828373.tif 000002
【図２】
0003828373.tif 000003
【図３】
0003828373.tif 000004
【図４】
0003828373.tif 000005
【図５】
0003828373.tif 000006
【図６】
0003828373.tif 000007
【図７】
0003828373.tif 000008
【図８】
0003828373.tif 000009
【図９】
0003828373.tif 000010
【図１０】
0003828373.tif 000011
【図１１】
0003828373.tif 000012